(57)【要約】【課題】 唾液を用いた診断デバイス及びこれを利用する診断方法が開示される。 【解決手段】本発明は、血液ではなく唾液(saliva)を用いて疾病を診断し、特定の用途(疾病)に合う検出部を唾液と反応させて特定の用途(疾病)別に活用(測定)ができ、唾液(saliva)を用いて1日にも数回痛み無く疾病の診断ができ、特定の用途(疾病)別に検出部を選択して測定することができるので、経済的な利点を提供することができ、測定結果をユーザ端末に提供することで、ユーザは測定結果を通じて健康を管理することができるので、個人別にセルフヘルスケアをすることができる。【選択図】図７
2019502893.tif 000002
【特許請求の範囲】
【請求項１】
診断デバイスであって、
前記診断デバイスに着脱可能に結合され、唾液(saliva)を用いて疾病を診断する検出部と; 
通信部と; 
前記検出部に電圧を印加し、前記検出部を介して提供された診断データをデジタル信号に変換し、前記デジタル信号を前記通信部を介してユーザ端末に提供する制御部と;  
を含む、唾液を用いた診断デバイス。
【請求項２】
前記検出部は、前記診断デバイスを介して印加される電圧を通じて、前記唾液内の疾病因子の電気化学反応を誘導し、疾病因子の電気化学反応により発生する電流を前記制御部に提供する、請求項１に記載の唾液を用いた診断デバイス。
【請求項３】
前記検出部は、
前記診断デバイスより電圧を印加され、前記唾液内の疾病因子の電気化学反応により発生する電流を前記診断デバイスに提供するデバイス連結部と; 
前記デバイス連結部を介して前記診断デバイスより印加される電圧を通じて、前記唾液内の疾病因子の電気化学反応を誘導し、疾病因子の電気化学反応により発生する電流を前記デバイス連結部に提供する唾液検出部と;  
を含む、請求項２に記載の唾液を用いた診断デバイス。
【請求項４】
前記唾液検出部は、
前記デバイス連結部に連結された電極からなる第1層と; 
前記第1層上に付着しており、前記唾液内の疾病因子の電気化学反応を誘導する第2層と; 
前記第2層上に位置しており、前記唾液内の疾病因子を認識可能な酵素からなる第3層と;  
前記第3層上に位置しており、予め設定された物質を分離するフィルタからなる第4層と; 
前記第4層上に位置しており、複合纎維質メンブレンからなる第5層と;  
を含む、請求項３に記載の唾液を用いた診断デバイス。
【請求項５】
前記疾病因子は、疾病を診断可能な特定因子である、請求項４に記載の唾液を用いた診断デバイス。
【請求項６】
前記第2層は、多孔性金属-有機固体構造物の形態からなるナノ構造体で構成される、請求項４に記載の唾液を用いた診断デバイス。
【請求項７】
前記ナノ構造体は、Ma(II)M’b(III)(CN)6の化学組成を有しており、
前記Mと前記M'とは金属元素である、請求項６に記載の唾液を用いた診断デバイス。
【請求項８】
前記デジタル信号は、予め設定された校正曲線(calibration curve)に基づいて、前記ユーザ端末により疾病因子の濃度に変換される、請求項２に記載の唾液を用いた診断デバイス。
【請求項９】
診断デバイスの唾液を用いた診断方法であって、
前記診断デバイスに着脱可能に結合された検出部に電圧を印加する段階と; 
前記検出部により唾液(saliva)を用いて疾病を診断する段階と; 
前記検出部を介して提供された診断データをデジタル信号に変換する段階と; 
前記デジタル信号を通信網を介してユーザ端末に提供する段階と;  
を含む、唾液を用いた診断デバイスを利用する診断方法。
【請求項１０】
前記疾病を診断する段階は、前記診断デバイスを介して前記検出部に印加される電圧を通じて、前記唾液内の疾病因子の電気化学反応を誘導し、疾病因子の電気化学反応により発生する電流を検出することからなる、請求項９に記載の唾液を用いた診断デバイスを利用する診断方法。
【請求項１１】
前記検出部は、前記診断デバイスより電圧を印加され、前記唾液内の疾病因子の電気化学反応により発生する電流を前記診断デバイスに提供するデバイス連結部と; 
前記デバイス連結部を介して前記診断デバイスより印加される電圧を通じて、前記唾液内の疾病因子の電気化学反応を誘導し、疾病因子の電気化学反応により発生する電流を前記デバイス連結部に提供する唾液検出部と;  
を含む、請求項１０に記載の唾液を用いた診断デバイスを利用する診断方法。
【請求項１２】
前記唾液検出部は、
前記デバイス連結部に連結された電極からなる第1層と; 
前記第1層上に付着しており、前記唾液内の疾病因子の電気化学反応を誘導する第2層と; 
前記第2層上に位置しており、前記唾液内の疾病因子を認識可能な酵素からなる第3層と; 
前記第3層上に位置しており、予め設定された物質を分離するフィルタからなる第4層と; 
前記第4層上に位置しており、複合纎維質メンブレンからなる第5層と;  
を含む、請求項１１に記載の唾液を用いた診断デバイスを利用する診断方法。
【請求項１３】
前記疾病因子は、疾病を診断可能な特定因子である、請求項１２に記載の唾液を用いた診断デバイスを利用する診断方法。
【請求項１４】
前記第2層は、多孔性金属-有機固体構造物の形態からなるナノ構造体で構成される、請求項１２に記載の唾液を用いた診断デバイスを利用する診断方法。
【請求項１５】
前記ナノ構造体は、Ma(II)M’b(III)(CN)6の化学組成を有しており、
前記Mと前記M'とは金属元素である、請求項１４に記載の唾液を用いた診断デバイスを利用する診断方法。
【請求項１６】
前記デジタル信号は、予め設定された校正曲線(calibration curve)に基づいて、前記ユーザ端末により疾病因子の濃度に変換される、請求項１０に記載の唾液を用いた診断デバイスを利用する診断方法。
【請求項１７】
請求項９乃至１６のいずれか１項に記載の唾液を用いた診断デバイスを利用する診断方法をコンピュータ上で実行させるために、コンピュータ読み取り可能な記録媒体に格納された、コンピュータプログラム。
【発明の詳細な説明】
【技術分野】
【０００１】
本発明は、唾液を用いた診断デバイス及びこれを利用する診断方法に関し、より詳細には、唾液を用いた疾病を診断するデバイス及び方法に関する。
【背景技術】
【０００２】
現存する疾病診断用バイオセンサの作動原理はいずれも、血液を採取して診断する侵襲式採血方式の診断機器であり、糖尿病患者用の血糖測定、癌(cancer)測定用などのように一つの目的に適う個別診断機器である。
【発明の概要】
【発明が解決しようとする課題】
【０００３】
本発明が達成しようとする技術的な課題は、血液ではなく唾液(saliva)を用いて疾病を診断し、特定の用途(疾病)に合う検出部を唾液と反応させて特定の用途(疾病)別に活用(測定)ができる、唾液を用いた診断デバイス及びこれを利用する診断方法を提供することにある。
【課題を解決するための手段】
【０００４】
前記の技術的な課題を達成するための本発明による唾液を用いた診断デバイスは、診断デバイスであって、前記診断デバイスに着脱可能に結合され、唾液(saliva)を用いて疾病を診断する検出部と; 通信部と; 前記検出部に電圧を印加し、前記検出部を介して提供された診断データをデジタル信号に変換し、前記デジタル信号を前記通信部を介してユーザ端末に提供する制御部と;  を含む。
【０００５】
前記検出部は、前記診断デバイスを介して印加される電圧を通じて、前記唾液内の疾病因子の電気化学反応を誘導し、疾病因子の電気化学反応により発生する電流を前記制御部に提供することができる。
【０００６】
前記検出部は、前記診断デバイスより電圧を印加され、前記唾液内の疾病因子の電気化学反応により発生する電流を前記診断デバイスに提供するデバイス連結部と; 前記デバイス連結部を介して前記診断デバイスより印加される電圧を通じて、前記唾液内の疾病因子の電気化学反応を誘導し、疾病因子の電気化学反応により発生する電流を前記デバイス連結部に提供する唾液検出部と;  を含み得る。
【０００７】
前記唾液検出部は、前記デバイス連結部に連結された電極からなる第1層と; 前記第1層上に付着しており、前記唾液内の疾病因子の電気化学反応を誘導する第2層と; 前記第2層上に位置しており、前記唾液内の疾病因子を認識可能な酵素からなる第3層と;  前記第3層上に位置しており、予め設定された物質を分離するフィルタからなる第4層と; 前記第4層上に位置しており、複合纎維質メンブレンからなる第5層と;  を含み得る。
【０００８】
前記疾病因子は、疾病を診断可能な特定因子であり得る。
【０００９】
前記第2層は、多孔性金属-有機固体構造物の形態からなるナノ構造体で構成され得る。
【００１０】
前記ナノ構造体は、Ma(II)M’b(III)(CN)6の化学組成を有しており、前記Mと前記M'とは金属元素であり得る。
【００１１】
前記デジタル信号は、予め設定された校正曲線(calibration curve)に基づいて、前記ユーザ端末により疾病因子の濃度に変換され得る。
【００１２】
前記の技術的な課題を達成するための本発明による唾液を用いた診断デバイスを利用する診断方法は、診断デバイスの唾液を用いた診断方法であって、前記診断デバイスに着脱可能に結合された検出部に電圧を印加する段階と; 前記検出部により唾液(saliva)を用いて疾病を診断する段階と; 前記検出部を介して提供された診断データをデジタル信号に変換する段階と; 前記デジタル信号を通信網を介してユーザ端末に提供する段階と;  を含む。
【００１３】
前記疾病を診断する段階は、前記診断デバイスを介して前記検出部に印加される電圧を通じて、前記唾液内の疾病因子の電気化学反応を誘導し、疾病因子の電気化学反応により発生する電流を検出することからなり得る。
【００１４】
前記検出部は、前記診断デバイスより電圧を印加され、前記唾液内の疾病因子の電気化学反応により発生する電流を前記診断デバイスに提供するデバイス連結部と; 前記デバイス連結部を介して前記診断デバイスより印加される電圧を通じて、前記唾液内の疾病因子の電気化学反応を誘導し、疾病因子の電気化学反応により発生する電流を前記デバイス連結部に提供する唾液検出部と;  を含み得る。
【００１５】
前記唾液検出部は、前記デバイス連結部に連結された電極からなる第1層と; 前記第1層上に付着しており、前記唾液内の疾病因子の電気化学反応を誘導する第2層と; 前記第2層上に位置しており、前記唾液内の疾病因子を認識可能な酵素からなる第3層と; 前記第3層上に位置しており、予め設定された物質を分離するフィルタからなる第4層と; 前記第4層上に位置しており、複合纎維質メンブレンからなる第5層と;  を含み得る。
【００１６】
前記疾病因子は、疾病を診断可能な特定因子であり得る。
【００１７】
前記第2層は、多孔性金属-有機固体構造物の形態からなるナノ構造体で構成され得る。
【００１８】
前記ナノ構造体は、Ma(II)M’b(III)(CN)6の化学組成を有しており、前記Mと前記M'とは金属元素であり得る。
【００１９】
前記デジタル信号は、予め設定された校正曲線(calibration curve)に基づいて、前記ユーザ端末により疾病因子の濃度に変換され得る。
【００２０】
前記の技術的な課題を達成するための本発明によるコンピュータプログラムは、コンピュータ読み取り可能な記録媒体に格納されて、前記の方法のうちのいずれか一つをコンピュータ上で実行させる。
【発明の効果】
【００２１】
本発明による唾液を用いた診断デバイス及びこれを利用する診断方法によれば、血液ではなく唾液(saliva)を用いて、1日にも数回痛み無く疾病の診断ができる。また、特定の用途(疾病)別に検出部を選択して測定することができるので、経済的な利点を提供することができる。さらに、測定結果を通信網を介してユーザ端末に提供することで、ユーザは測定結果を通じて健康を管理することができるので、個人別にセルフヘルスケアをすることができる。
【図面の簡単な説明】
【００２２】
【図１】本発明の好ましい実施例による唾液を用いた診断デバイスを説明するためのブロック図である。
【図２】図１に示された診断デバイスの一例を説明するための図である。
【図３】図１に示された診断デバイスの構成をより詳細に示すブロック図である。
【図４】図３に示された検出部の構成をより詳細に示すブロック図である。
【図５】(a)は図３に示された検出部の一例を説明するための図であり、(b)は(a)に示されたA-A'部分の断面図である。
【図６】図５に示された検出部で保護カバー部が分離されている状態を説明するための図である。
【図７】図５に示された唾液検出部の構成をより詳細に示す図である。
【図８】本発明の好ましい実施例による疾病診断の個別過程の一例を説明するための図である。
【図９】本発明の好ましい実施例による疾病診断の全過程の一例を説明するための図である。
【図１０】本発明の好ましい実施例による疾病診断結果の一例を説明するためのグラフである。
【図１１】本発明の好ましい実施例による唾液を用いた診断デバイスを利用する診断方法を説明するためのフローチャートである。
【発明を実施するための形態】
【００２３】
以下で添付の図面を参照しながら、本発明による唾液を用いた診断デバイス及びこれを利用する診断方法の好ましい実施例について詳細に説明する。
【００２４】
まず、図１及び図２を参照しながら、本発明の好ましい実施例による唾液を用いた診断デバイスについて説明する。
【００２５】
図１は、本発明の好ましい実施例による唾液を用いた診断デバイスを説明するためのブロック図であり、図２は図１に示された診断デバイスの一例を説明するための図である。
【００２６】
図１及び図２を参照すると、本発明による唾液を用いた診断デバイス(100)(以下、‘診断デバイス’と言う)は、通信網(300)を介してユーザ端末(200)に連結されている。
【００２７】
診断デバイス(100)は、血液ではなく唾液(saliva)を用いて電気化学的な方法で疾病を診断する。このとき、診断デバイス(100)は、特定の用途(疾病)に合う検出部を唾液と反応させて、特定の用途(疾病)別に活用(測定)することができる。そして、診断デバイス(100)は、診断データをデジタル信号に変換して、通信網(300)を介してユーザ端末(200)に提供する。
【００２８】
ユーザ端末(200)は、通信網(300)を介して診断デバイス(100)に連結されて、各種のデータをやり取りすることができる。
【００２９】
即ち、ユーザ端末(300)は、通信網(300)を介して診断デバイス(100)から提供されたデジタル信号を、予め設定された校正曲線(calibration curve)に基づいて疾病因子の濃度に変換することができる。ここで、疾病因子は、疾病を診断可能な特定因子であって、抗原、ブドウ糖などを言う。例えば、疾病因子がブドウ糖である場合、校正曲線はグルコース(glucose)の濃度による電流値からなり、先行実験などを通じて予め獲得し得る。そして、ユーザ端末(300)は、変換された疾病因子の濃度を表示(display)することができる。
【００３０】
これによって、本発明による診断デバイスが糖尿病を診断する場合、糖尿病に対するブドウ糖濃度が既に数値化されており、この数値と診断結果(つまり、定量化されたブドウ糖濃度)を用いて糖尿病を診断することができる。
【００３１】
ここで、ユーザ端末(200)は、デスクトップパソコンだけではなくノートパソコン、ワークステーション、パームトップ(PalmTop)パソコン、超小型パソコン(UMPC:  Ultra  Mobile Personal Computer)、タブレットPC、個人携帯情報端末(PDA: Personal Digital Assistant)、ウェブパッド、スマートフォン(smartphone)、携帯電話などのように、メモリ手段を具備し、マイクロプロセッサを搭載して演算能力を備えた端末機から構成し得る。
【００３２】
通信網(300)は、ローカルエリア(構内)ネットワーク(LAN： local area network)、メトロポリタンエリアネットワーク(MAN：  metropolitan area network)、ワイドエリアネットワーク(WAN: wide area network)、インターネットなどを含むデータ通信網だけではなく、電話網(Telephone Network)などを含み得、有線と無線を問わず、如何なる通信方式を使用してもよい。
【００３３】
次に、図３を参照しながら、本発明の好ましい実施例による診断デバイスについてより詳細に説明する。
【００３４】
図３は、図１に示された診断デバイスの構成をより詳細に示すブロック図である。
【００３５】
図３を参照すれば、診断デバイス(100)は、通信部(110)と、DAC部(120)と、ADC部(130)と、電源部(140)と、電圧印加部(150)と、検出部(160)と、制御部(170)とを含み得る。
【００３６】
通信部(110)は、有線通信モジュール(図示せず)や無線通信モジュール(図示せず)を具備しており、診断デバイス(100)の有無線通信のための当該データの送受信機能を遂行する。例えば、通信部(110)は、診断デバイス(100)の他の構成要素から提供されたデータなどを、通信網(300)を介してユーザ端末(200)に送信し得る。
【００３７】
DAC部(120)は、制御部(170)の制御に従って、デジタル信号をアナログ信号に変換する。
【００３８】
ADC部(130)は、制御部(170)の制御に従って、アナログ信号をデジタル信号に変換する。
【００３９】
電源部(140)は、バッテリー(図示せず)を含んでおり、診断デバイス(100)の各構成要素の動作に必要な電源を供給する。ここで、バッテリーは、診断デバイス(100)に固定される一体型バッテリー、または、診断デバイス(100)に取り外し可能な分離型バッテリーであり得る。勿論、電源部(140)は、外部電源(図示せず)から電源を供給されることもできる。
【００４０】
電圧印加部(150)は、制御部(170)の制御に従って、検出部(160)に一定の電圧を印加する。そして、電圧印加部(150)は、検出部(160)により発生する電流を測定して、制御部(170)に提供する。
【００４１】
検出部(160)は、診断デバイス(100)に着脱可能に結合され、唾液を用いて疾病を診断する。即ち、検出部(160)は、電圧印加部(150)を介して印加される電圧を通じて、サンプリングされた唾液内の疾病因子の電気化学反応(つまり、酸化還元反応)を誘導する。
【００４２】
そして、検出部(160)は、診断データを制御部(170)に提供する。即ち、検出部(160)は、疾病因子の電気化学反応により発生する電流を、電圧印加部(150)を介して制御部(170)に提供する。
【００４３】
制御部(170)は、診断デバイス(100)の各構成要素に対する全般的な動作を制御する。
【００４４】
特に、制御部(170)は、電圧印加部(150)を制御して、検出部(160)に電圧を印加する。 そして、制御部(170)は、検出部(160)を介して提供された診断データを、ADC部(130)によってデジタル信号に変換する。即ち、制御部(170)は、疾病因子の電気化学反応により検出部(160)で発生する電流を、電圧印加部(150)によって測定し、測定された結果をデジタル信号に変換し得る。
【００４５】
また、制御部(170)は、デジタル信号を、通信部(110)を介してユーザ端末(200)に提供する。すると、ユーザ端末(300)は、診断デバイス(100)から提供されたデジタル信号を、予め設定された校正曲線(calibration curve)に基づいて、疾病因子の濃度に変換するようになる。
【００４６】
次に、図４を参照しながら、本発明の好ましい実施例による検出部についてより詳細に説明する。
【００４７】
図４は、図３に示された検出部の構成をより詳細に示すブロック図である。
【００４８】
図４を参照すれば、検出部(160)は、デバイス連結部(161)と、唾液検出部(163)と、保護カバー部(165)とを含み得る。
【００４９】
デバイス連結部(161)は、診断デバイス(100)から電圧を印加される。そして、デバイス連結部(161)は、唾液内の疾病因子の電気化学反応により発生する電流を、診断デバイス(100)に提供する。
【００５０】
唾液検出部(163)は、デバイス連結部(161)を介して診断デバイス(100)から印加される電圧を通じて、唾液内の疾病因子の電気化学反応を誘導する。そして、唾液検出部(163)は、疾病因子の電気化学反応により発生する電流を、デバイス連結部(161)に提供する。ここで、患者の唾液は、患者が唾液検出部(163)に唾液を吐き出す(spit out)とか、或いは、唾液検出部(163)を患者の口腔内の患部に直接接触させることで、サンプリングすることができる。即ち、唾液検出部(163)は、患者の唾液サンプルを混ぜて、電気化学反応が進行される反応器の役目を遂行し得る。
【００５１】
保護カバー部(165)は、デバイス連結部(161)と唾液検出部(163)とを外部の物質や刺激などから保護するための筐体(housing)である。
【００５２】
次に、図５乃至図１0を参照しながら、本発明の好ましい実施例による検出部の一例について説明する。
【００５３】
図５の(a)は、図３に示された検出部の一例を説明するための図であり、(b)は、(a)に示されたA-A'部分の断面図であり、図６は、図５に示された検出部で保護カバー部が分離されている状態を説明するための図であり、図７は、図５に示された唾液検出部の構成をより詳細に示す図であり、図８は、本発明の好ましい実施例による疾病診断の個別過程の一例を説明するための図であり、図９は、本発明の好ましい実施例による疾病診断の全過程の一例を説明するための図であり、図１０は、本発明の好ましい実施例による疾病診断の結果の一例を説明するためのグラフである。
【００５４】
図５乃至図10を参照すれば、本発明による唾液検出部(163)は、複数の層(L1〜L5)からなり得る。
【００５５】
第5層(L5)は、第4層(L4)上に位置しており、複合纎維質メンブレンからなる。即ち、図８の(a)に示されているように、唾液(SL)が複合纎維質メンブレンからなる第5層(L5)上に接触するようになると、第5層(L5)は、唾液を複合纎維質メンブレンの全体に行き渡らせる。
【００５６】
第4層(L4)は、第3層(L3)上に位置しており、予め設定された物質を分離するフィルタからなる。即ち、図８の(b)に示されているように、第4層(L4)は、唾液内に含まれた複数の物質のうちで、予め設定された物質を分離する。例えば、疾病因子がブドウ糖である場合、唾液にはブドウ糖の以外に、タンパク質、アミラーゼ、酵素など多くの物質が含まれているが、第4層(L4)は、ブドウ糖の検出に邪魔になる物質を分離することができる。勿論、疾病因子がブドウ糖ではなく他の因子である場合、他の因子の検出に邪魔になる物質を分離することができる。
【００５７】
第3層(L3)は、第2層(L2)上に位置しており、唾液内の疾病因子を認識可能な酵素からなる。即ち、図８の(c)に示されているように、疾病因子がブドウ糖である場合、第3層(L3)は、グルコース(Glucose)を過酸化水素とグルコン酸(Gluconic acid)とに分解する。 また、疾病因子がブドウ糖ではなく他の因子である場合、第3層(L3)は、唾液内の他の因子を認識可能な酵素からなり得る。それによって、本発明は、測定しようとする疾病に関連した疾病因子を認識可能な第3層(L3)で唾液検出部(163)を構成することができる。このように、特定の用途(疾病)別に検出部を選択して測定することができるので、本発明は、ブドウ糖だけではなく、多様な疾病因子を選択的に認識可能であるという経済的な利点を提供することができる。
【００５８】
第2層(L2)は、第1層(L1)上に付着しており、唾液内の疾病因子の電気化学反応を誘導する。即ち、図８の(d)に示されているように、疾病因子がブドウ糖である場合、第2層(L2)は、第3層(L3)のブドウ糖の分解過程で生成された過酸化水素を還元させ、自分は酸化(Oxidized)されながら電子をやり取りする過程で電流が発生される。
【００５９】
このとき、第2層(L2)は、多孔性(porous)金属-有機固体構造物の形態からなるナノ構造体で構成され得る。ナノ構造体は、生物学的な危害性の無い無毒性触媒であって、ブドウ糖代謝反応の結果物を電気化学的方法によって還元させ、自分は電極で再度酸化されて電流信号を発生させるようになる。
【００６０】
そして、ナノ構造体は、Ma(II)M’b(III)(CN)6の化学組成を有しており、MとM'とは金属元素であり得る。例えば、M2+とM'3+の金属陽イオンとCN-シアン化陰イオンの配位結合物からなる固体構造物は、中心金属陽イオンの電気化学触媒的な特性により、酵素の代謝物である過酸化水素の速い還元反応を促進する。MとM'とは金属元素であって、Fe、Zn、K、Mg、Al、Cu、Co、Ni、Cr、Mn、Rbなどになり得、一例として、ナノ構造体はFe2+及びFe3+を基盤とするプルシアンブルー(Prussian blue)型の構造物、Fe4III[FeII(CN)6]3であり得る。このようなナノ構造体によって、高い感度を有する唾液検出部(163)を構成することができる。例えば、図１0に示されているように、本発明は、ナノ構造体を用いることで、既存の採血方式の血糖センサよりも、検出量対比100〜1,000倍の検出感度(検出限界=10〜1μM)を獲得することができる。
【００６１】
第1層(L1)は、デバイス連結部(161)に連結された電極からなる。即ち、第1層(L1)は、第2層(L2)で発生した電流を、デバイス連結部(161)に提供する。一方、第1層(L1)が基準(Referenc)電極(EN1)と作用(Working)電極(EN2)とカウンター(Counter)電極(EN3)とからなる三電極(three-electrodes)方式のものとして図面に示しているが、これには限定されなく、実施例に従って、第1層(L1)は二電極(two-electrodes)方式で構成することもできる。
【００６２】
一方、唾液検出部(163)が第1層(L1)〜第5層(L5)からなるものとして図面に示しているが、これには限定されなく、実施例に従って、唾液検出部(163)はろ過膜や薄膜をさらに含むことができる。例えば、唾液検出部(163)は、唾液中の多様な干渉物質から特定の疾病因子のみを感応可能なろ過膜をさらに含むことができる。また、唾液検出部(163)は、疾病因子のみに選択的な電気化学信号(シグナル)感応を示すタンパク質やDNA物質と電解質の役目のための薄膜をさらに含むことができる。
【００６３】
次に、図１1を参照しながら、本発明の好ましい実施例による唾液を用いた診断デバイスを利用する診断方法について説明する。
【００６４】
図１1は、本発明の好ましい実施例による唾液を用いた診断デバイスを利用する診断方法を説明するためのフローチャートである。
【００６５】
図１1を参照すれば、診断デバイス(100)は、診断デバイス(100)に結合された検出部(160)に、一定の電圧を印加する(S110)。
【００６６】
すると、診断デバイス(100)は、唾液を用いて疾病を診断する(S130)。即ち、検出部(160)は、印加される電圧を通じて、サンプリングされた唾液内の疾病因子の電気化学反応を誘導する。そして、検出部(160)は、疾病因子の電気化学反応により発生する電流を、診断デバイス(100)に提供する。
【００６７】
そして、診断デバイス(100)は、診断データ(つまり、検出部(160)により発生した電流を測定した結果)を、デジタル信号に変換する(S150)。
【００６８】
その後、診断デバイス(100)は、デジタル信号を、通信網(300)を介してユーザ端末(200)に提供する(S170)。すると、ユーザ端末(200)は、診断デバイス(100)から提供されたデジタル信号を、予め設定された校正曲線(calibration curve)に基づいて疾病因子の濃度に変換するようになる。
【００６９】
本発明はさらに、コンピュータ読み取り可能な記録媒体にコンピュータで読み取り可能なコードとして具現することができる。コンピュータ読み取り可能な記録媒体は、コンピュータで読み取り可能なデータが格納されるあらゆる種類の記録装置を含む。コンピュータで読み取り可能な記録媒体の例としては、ロム(ROM：Read  Only  Memory)、ラム(RAM： Random Access Memory)、ＣＤ-ロム(CD-ROM: CD-Read  Only  Memory)、磁気テープ、フロッピーディスク(floppy disk)、光データ格納装置などが挙げられ、また、キャリアウエーブ(CarrierWave)(インターネットを介した伝送)の形態で具現されるものも含む。また、コンピュータ読み取り可能な記録媒体は、有無線通信網で連結されたコンピュータ装置に分散して分散方式で、コンピュータで読み取り可能なコードが格納されて実行されることができる。
【００７０】
以上、本発明の好ましい実施例について詳細に説明してきたが、本発明は前述した特定の好ましい実施例に限定されるものではなく、後述する請求の範囲において請求する本発明の要旨を逸脱しない限り、当該発明の属する技術の分野における通常の知識を有する者であれば誰でも様々な変形実施ができるのは勿論のこと、そのような変更は請求の範囲の記載範囲内にあるものと見做す。
【図１】
2019502893.tif 000003
【図２】
2019502893.tif 000004
【図３】
2019502893.tif 000005
【図４】
2019502893.tif 000006
【図５】
2019502893.tif 000007
【図６】
2019502893.tif 000008
【図７】
2019502893.tif 000009
【図８】
2019502893.tif 000010
【図９】
2019502893.tif 000011
【図１０】
2019502893.tif 000012
【図１１】
2019502893.tif 000013
【手続補正書】
【提出日】平成30年4月2日(2018.4.2)
【手続補正１】
【補正対象書類名】図面
【補正対象項目名】図９
【補正方法】変更
【補正の内容】
【図９】
2019502893.tif 000014
【国際調査報告】
2019502893.tif 000015
2019502893.tif 000016
2019502893.tif 000017
2019502893.tif 000018